(57)【要約】使用者の付属物（例えば、手又は指）の一部に所望の摩擦界面領域を付与する装具は、第１の側と反対の側とを有する可撓性材料層を具備し、第１の側は摩擦係合面を有する。装具は、反対側にある第１の面と第２の面とを有する可撓性支持体シートを更に具備する。支持体シートの第２の面上に感圧接着剤が配設されている。支持体シートは、中央部位、および対向するタブ部分を有し、材料層の第２の側は支持体シートの第１の面に、その中央部位の少なくとも一部で固定される。タブ部分は、中央部位から離れる方向に延びる寸法が十分に長く、そのため支持体シートの第２の面が使用者の付属物に粘着されるとき、タブ部分は付属物の周囲に少なくとも半分延びる。摩擦係合面の静摩擦係数は、少なくとも１．１である。装具は、剪断力設計荷重と予想荷重との荷重比が少なくとも１．３：１である。
2005532864.tif 000002
【特許請求の範囲】
【請求項１】
対向する第１の側と第２の側とを有する可撓性材料層であって、前記第１の側が摩擦係合面を有する可撓性材料層と、
対向する第１の面と第２の面とを有する可撓性支持体シートであって、前記支持体シートが中央部位および対向するタブ部分を有し、前記支持体シートの第１の面が前記可撓性材料層の第２の側に、前記支持体シートの中央部位で固定されている、可撓性支持体シートと、
を備える、使用者の付属物の一部に所望の摩擦界面領域を付与する装具であって、
前記支持体シートのタブ部分は、前記中央部位から離れる方向に延びる寸法が十分に長く、そのため、前記支持体シートの第２の面が使用者の付属物に粘着されるとき、前記タブ部分が付属物の周囲の少なくとも半分を延びる、装具。
【請求項２】
前記摩擦係合面が、可撓性ポリマーステムの配列によって画定される、請求項１に記載の装具。
【請求項３】
使用者の付属物に貼付されるとき、各ステムが、前記支持体シートから略垂直な方向に延びる、請求項２に記載の装具。
【請求項４】
剪断力が加えられると、前記ステムが屈折し、その露出表面積が増大し、摩擦界面が向上する、請求項２に記載の装具。
【請求項５】
前記摩擦係合面の摩擦係数が少なくとも１．１である、請求項１に記載の装具。
【請求項６】
前記支持体シートが複数対の対向するタブ部分を有する、請求項１に記載の装具。
【請求項７】
使用者の付属物に可撓性支持体シートの底面を固定し、前記支持体シートは、前記底面の反対側にある上面に、少なくとも１．１の静摩擦係数の摩擦ゾーンを有する段階、および
物品を扱うために前記摩擦ゾーンを物品と接触させる段階、
を含む、使用者の付属物と物品との間に所望の摩擦界面を付与する方法。
【請求項８】
前記固定段階が、使用者の付属物に前記可撓性支持体シートの底面を粘着させることを含む、請求項７に記載の方法。
【請求項９】
前記支持体シートが、中央部位、および前記中央部分から外側に延びるタブ部分を有し、前記摩擦ゾーンが前記中央部位にある、請求項７に記載の方法。
【請求項１０】
前記支持体シートが、前記中央部分から外側に延びる少なくとも２つのタブ部分を有する、請求項９に記載の方法。
【発明の詳細な説明】
【技術分野】
【０００１】
本発明は、使用者（例えば、指など）に除去可能に付着される摩擦向上材料のパッチ、および、このような付着を達成する方法に関する。
【背景技術】
【０００２】
多くの活動では、ある程度の確信を持って、確実で、器用に物品を扱うことが必要である。このような活動は、仕事関連（例えば、箱、ボール箱、道具、紙シート、ロール状の材料、又は、ハンドル若しくは手摺などの手と係合する表面のような物の取扱い）であっても、又は、スポーツ関連（例えば、ボール、ラケットの柄、バット、又は、釣竿の柄、スキー用ハンドル（ｓｋｉ  ｈａｎｄｌｅ）などの他のスポーツ用グリップ若しくは表面の取扱い）であってもよい。これらの用途の多くでは、使用者の手と、扱われる物品又は接触する物品との間の摩擦界面が向上しており、使用者の皮膚と物品との間の単なる直接の接触から得られるものよりも強度の摩擦界面を提供することが望ましい。
【０００３】
手のグリップ特性を向上させるため、様々な摩擦向上物品が提案されてきた。これには、手袋、又は使用者の手に摩擦向上材料（例えば、「スティック−エム（ｓｔｉｃｋ−ｅｍ）」）を貼付すること、又は、指サック若しくはフィンガーストール（指先用被覆材）が挙げられる。これらの手法は、使用者の指の有用な触知可能部分の全てではなくてもほとんどを被覆する傾向があり、使用する際にも同様に、付け心地が悪い場合が多い。使用者の紙を扱う能力を向上させるため、摩擦向上材料の小さいパッチを使用者の指の先端付近に粘着剤で粘着させることが提案されてきた。このようなデバイスの例は、次の参考文献に見られる。ヨンカーズ（Ｙｏｎｋｅｒｓ）の米国特許第３，９８５，３８３号明細書、スコット（Ｓｃｏｔｔ）の米国特許第３，２８３，８８８号明細書、およびパウウェル（Ｐｏｗｅｌｌ）の米国特許第５，５４７，４６５号明細書。記載されるこれらの各デバイスの目的は、使用者の指と取扱われる物品（例えば、紙）との間の摩擦界面を増大させることである。しかし、指パッチを保持する粘着剤のタックが十分でない場合、デバイスは使用中に指から移動する可能性がある。従って、このようなパッチでは、粘着剤は、使用者の指から除去できない物品になるほどのタックを有してはならないが、パッチと、取扱われる物品との間の対向する摩擦界面に耐えるほど十分なタックを有していなければならない。その結果、パッチと、取扱われる物品との間に高摩擦係数の界面を提供する能力が制限される。
【発明の開示】
【課題を解決するための手段】
【０００４】
一実施形態では、本発明は、使用者の付属物の一部に所望の摩擦界面領域を付与する装具であり、可撓性材料層と可撓性支持体シートを備える。可撓性材料層は、反対側にある第１の側と第２の側とを有し、第１の側は摩擦係合面を有する。可撓性支持体シートは、反対側にある第１の面と第２の面、中央部位、および対向するタブ部分を有する。可撓性材料層の第２の側は、支持体シートの第１の面に、その中央部位の少なくとも一部で固定される。装具は、また、支持体シートの第２の面に配設される感圧接着剤も具備し、支持体シートのタブ部分は、中央部位から離れる方向に延びる寸法が十分に長く、そのため支持体シートの第２の面が使用者の付属物に粘着されるとき、タブ部分はその自由端で重なり合う。
【０００５】
別の実施形態では、本発明は、使用者の付属物の一部に摩擦界面領域を付与する装具であり、可撓性材料層と可撓性支持体シートを備える。可撓性材料層は、反対側にある第１の側と第２の側とを有し、第１の側は摩擦係合面を有する。支持体シートは、反対側にある第１の面と第２の面、中央部位、および対向するタブ部分を有する。可撓性材料層の第２の側は、支持体シートの第１の面に、その中央部位で固定される。支持体シートのタブ部分は、中央部位から離れる方向に延びる寸法が十分に長く、そのため支持体シートの第２の面が使用者の付属物に粘着されるとき、タブ部分は付属物の周囲に少なくとも半分延びる。
【０００６】
別の実施形態では、本発明は、使用者の付属物に所望の摩擦界面を配設する装具であり、反対側にある第１の面と第２の面とを有する可撓性支持体シートを備え、支持体シートは、中央部位、および対向するタブ部分を有する。装具は、また、支持体シートの第２の面に配設される感圧接着剤も備え、支持体シートのタブ部分は、中央部位から離れる方向に延びる寸法が十分に長く、第２の面が使用者の付属物に粘着されるとき、タブ部分は付属物の周囲に少なくとも半分延びる。装具は、支持体シートの第１の面に画定される摩擦ゾーンを更に備え、摩擦ゾーンの静摩擦係数は少なくとも１．１である。
【０００７】
別の実施形態では、本発明は、使用者の付属物の一部に所望の摩擦界面を配設する装具であり、反対側にある第１の面と第２の面とを有する可撓性支持体シート、使用者の付属物に可撓性支持体シートの第２の面を除去可能に付着する手段、および支持体シートの第１の面に画定される摩擦ゾーンを備え、摩擦ゾーンの静摩擦係数は少なくとも１．１であり、装具は、剪断力設計荷重と予想荷重との荷重比が少なくとも１．３：１である。
【０００８】
別の実施形態では、本発明は、使用者の付属物に所望の摩擦界面を付与する方法であり、（１）反対側にある第１の面と第２の面とを有する可撓性支持体シートを提供する段階であって、該支持体シートは、中央部位と、その中央部位から外側に延びる複数のタブ部分とを有し、中央部分は、その第１の面に、静摩擦係数が少なくとも１．１の摩擦ゾーンを有する段階、（２）支持体シートの第２の面の感圧接着剤を露出させる段階、（３）貼付するため、使用者の付属物に対して支持体シートを位置合せする段階、および（４）使用者の付属物に露出された感圧接着剤を押付け、そこに支持体シートを粘着させる段階を含む。
【０００９】
別の実施形態では、本発明は、（１）使用者の付属物に可撓性支持体シートの底面を固定する段階であって、該支持体シートが、底面と反対側の上面に、静摩擦係数が少なくとも１．１の摩擦ゾーンを有する段階、（２）物品を扱う摩擦ゾーンと物品を接触させる段階を含む、使用者の付属物と物品との間に所望の摩擦界面を付与する方法である。
【００１０】
下記に列記する図面を参照して本発明を更に説明するが、幾つかの図面を通して、同様の構造は同様の番号によって参照される。
【００１１】
後述の図面は、本発明の幾つかの実施形態を記載するが、詳細な説明に記載されるように、他の実施形態も想到される。全ての場合において、本開示は、本発明を説明するためのものであって、限定するものではない。当業者が本発明の原理の趣旨および範囲内に入る他の多くの変更および実施形態を考案できることを理解されたい。
【発明を実施するための最良の形態】
【００１２】
本発明の第１の目的は、使用者の付属物（即ち、指）の一部と、使用者が扱う物品との間の摩擦界面を向上させる装具、およびその貼付方法を提供することである。本発明は、触覚の鋭さが望まれるが、使用者の手と、把持される物品との間の摩擦界面を向上させる必要がある、手を使う活動に関して特に有用である。更に、多くのこのような活動は、流体が存在する場合がある状態で行われ、そのため湿潤状態と乾燥状態の両方で、向上している摩擦界面が望まれる。例えば、多くの外科又は医療用途では、様々な流体が手術領域に存在する場合があるという事にも関わらず、使用者が物品をしっかりと把持できるが、依然として高い触感を有し得ることが重要である。同様に、多くのスポーツ用途では、強く急な力が加えられるにも関わらず、および、（発汗又は環境状態による）湿潤状態および乾燥状態で、参加者が物品（バスケットボール又はラケットの柄）をしっかり把持できることが重要である。
【００１３】
本発明の装具は、これらの目的を達成するのに実に有用である。指先用グリップパッドの形態では、本発明の装具は、小さく軽量で可撓性がある。（典型的な指サック又は手袋のように）手全体、又は、指全体さえも被覆せず、それによって指が幾らか露出し、道具又はボールを触感できる。本発明の装具は、指の表面形状に適合し、薄いため、指に不要に「厚い当て物をし」て、触感を減じることがない。
【００１４】
本発明の装具により、使用者の手の所望の部分に高摩擦界面（即ち、手／物品界面に高摩擦係数）を付与することができる。本発明の装具により、使用者の触感を顕著に損なうことなくこの目的が達成され、依然として容易に使用者の指に物品を貼付し、使用者の指から物品を除去することができる。使用する際、非常に悪い環境（例えば、絶え間ない運動、および一時的な高剪断力および垂直力が摩擦界面に加えられるバスケットボールの試合など）でも、本発明の指先用グリップパッドは、使用者の指の所望の位置に留まる。指先用グリップパッドに強く急な力が加えられるにもかかわらず、指先用グリップパッドは、使用中にずれたり移動したりしない。本発明により達成される利点には、使用者の付属物の一部に所望の摩擦界面領域を付与し、製造が比較的単純且つ安価で、貼付および扱いが容易であり、凸凹した、使用時の耐久性がある装具を提供することがある。
【００１５】
本明細書における開示は、主に、指先用グリップパッドに関するが、本発明の装具は、手、腕、前腕、肘、二頭筋、肩、首、頭、大腿、膝、脛、くるぶし、足、又は足指などの使用者のあらゆる付属物に貼付可能である。本発明の装具は、どのような目的であれ、使用者の付属物の摩擦界面の局部又は局所的で一時的な向上が望まれる場所において有用である。本発明の装具は、付属物に容易に貼付でき、同様に容易に除去できる。例えば、使用者の足の一部にグリップパッドを貼付すると、サーフィンで使用する足の摩擦界面が向上する。更に、本発明の装具を使用者の剥き出しの皮膚、又は既に着装している他の品目、若しくは、そうでなければ、付属物の使用者の皮膚を被覆する他の品目に（例えば、射撃活動でライフルの床尾と係合するジャケット、シャツ、又はベスト用の肩パッドとして、又はゴム製手術用手袋などの手袋に付け加えるものとして）貼付できる。別の例として、本発明の装具は、物を取扱う用途（例えば、産業における部品の取扱い、又は出荷包装品の取扱いなど）に使用するため、剥き出しの指若しくは手に、又は手袋の一部に貼付できる。
【００１６】
本出願の図面は、本発明の性質および特徴を開示するため、説明の目的で提供される。図１および図２は、指先用グリップパッドの形態の本発明の摩擦向上装具の第１の実施形態を表す。図１および図２に表される実施形態では、グリップパッド１０は、第１の側１４および第２の側１６を有する支持体シート１２を有する。摩擦材料層１８は、粘着剤２０で、支持体シート１２の第１の側１４に固定される。支持体シート１２の第２の側１６は、粘着剤２２を有し、使用者の指に貼付する前には粘着剤ライナ２４が粘着されている。
【００１７】
支持体シート１２は、摩擦材料層１８を支持する機能をする。支持体シート１２は、好ましくは比較的薄く、略均一な厚さを有し、可撓性があり、それによって、支持体シートはそれが粘着される使用者の表面に適合することができる。支持体シートは、酷烈な可能性がある使用条件下で持ちこたえるように、比較的強度と耐久性がなければならない。一実施形態では、支持体シートは、更に、貼付中および使用中、使用者に適合できるように伸張可能である。好ましくは、支持体シートは、使用者の皮膚に粘着するのに快適な材料であり、通気性若しくは透過性の材料、又は穿孔された材料である。医療用又は他の用途（即ち、食品取扱い）では、支持体シートは滅菌可能である。本発明の支持体シート１２として使用され得る材料には、フィルム、フォーム、織布、不織布、又はメルトブローン材料が挙げられるが、これらに限定されない。この目的に想到される具体的な材料には、次の製品の支持体が挙げられ、これらは全て、ミネソタ州セントポール、３Ｍ社（３Ｍ  Ｃｏｍｐａｎｙ，Ｓｔ．Ｐａｕｌ，Ｍｉｎｎｅｓｏｔａ）から入手可能である。トランスポア（Ｔｒａｎｓｐｏｒｅ）（登録商標）、コンフォート（Ｃｏｍｆｏｒｔ）（商標）、メディポア（Ｍｅｄｉｐｏｒｅ）（登録商標）、マイクロポア（Ｍｉｃｒｏｐｏｒｅ）（登録商標）、アクティブ（Ａｃｔｉｖｅ）（登録商標）、テガダーム（Ｔｅｇａｄｅｒｍ）（登録商標）、およびブレンダーム（Ｂｌｅｎｄｅｒｍ）（登録商標）。
【００１８】
支持体シート１２の第２の側１６の粘着剤２２は、指先用グリップパッド１０を使用者に粘着させる役割をし、幾つかの実施形態では、使用者の皮膚に直接粘着されることを意味する。粘着剤２２は、好ましくは、有害な結果又は残留物なしに使用者の皮膚から容易に除去できる感圧接着剤である。望ましい粘着剤は、湿潤状態と乾燥状態の両方でタックを有し、好ましくは、支持体シート１２の第２の側１６の全て又は一部を被覆する、薄く、略均一な層で提供される。更に、粘着剤２２は可撓性があるため、使用中、使用者の指の不規則な形状に適合することができ、低アレルギー誘発性および／又は滅菌可能であってよい。可能な粘着剤には、アクリレート感圧接着剤（粘着付与剤含有、又は非含有）、粘着付与剤添加スチレン−ジエン感圧接着剤、ポリオレフィン感圧接着剤（粘着付与剤含有、又は非含有）、およびシリコン感圧接着剤が挙げられるが、これらに限定されない。
【００１９】
粘着剤ライナ２４は、指先用グリップパッド１０を使用者の指に貼付する前、支持体シート１２の第２の側１６の露出している粘着剤２２を全て被覆するように提供される。粘着剤ライナ２４は可撓性があり、粘着剤２２から容易に除去することができ、また、滅菌可能であってもよい。粘着剤２２と接触する粘着剤ライナの側には、粘着剤２２から分離しやすいように、粘着剤剥離被膜（シリコーンなど）が提供される。粘着剤ライナ２４に可能な材料には、紙、フィルム、織布、又は不織布が挙げられるが、これらに限定されない。
【００２０】
摩擦材料層１８は、支持体シート１２の第１の側１４に摩擦ゾーン３０を画定する。摩擦ゾーン３０は、使用者と、扱われる物品との間に所望の摩擦界面領域を付与するような形状にされる。図２に見られるように、摩擦材料層１８は、露出され、所望の摩擦面を付与する第１の側３２と、摩擦材料層１８を支持体シート１２に粘着させる粘着剤２０が接触している第２の側３４とを有する。従って、摩擦ゾーン３０は、使用中、本発明の所望の摩擦界面特性を達成するのに必要な摩擦面を提供する。
【００２１】
一実施形態では、摩擦材料層１８は、露出している有効面に、そこから突出する直立ステムの配列３８を有するベース層３６である。この種の材料は、米国特許第６，３７２，３２３号明細書、および出願人の同時係属の米国特許出願番号０９／６３７，５６７号明細書に開示される技術によって形成される。配列中の各ステムは、可撓性と耐久性がある。剪断力を加えるとステムは曲がり、そのため、対向する物品に当たる摩擦界面表面積が実際に向上する。図１および図２に表される実施形態では、摩擦材料層１８および支持体シート１２は、粘着剤２０で互いに結合している。この目的に好適な粘着剤は、ミネソタ州セントポール、３Ｍ社（３Ｍ  Ｃｏｍｐａｎｙ，Ｓｔ．Ｐａｕｌ，Ｍｉｎｎｅｓｏｔａ）から入手可能な、スコッチ（Ｓｃｏｔｃｈ）（登録商標）型３００ＬＳＥ高強度粘着剤である。しかし、一実施形態では、摩擦材料層１８（および、従って、その上の直立ステム３８の配列）は、支持体シート１２と一体成形される。
【００２２】
図３Ａは、摩擦材料層１８の第１の側３２を表し、その上の直立ステムの配列３８を示す。各ステム４０は、（ベース層３６に固定されている、又はそれと一体である）固定端４２、および自由端４４を有する。図３Ｂは、通常の力で物品５２の表面５０に押付けられたとき、および、更に（矢印５４の方向に）剪断力を加えたときのステム３８の反応を表す。図３Ｂに見られるように、ステム４０は、表面５０の不規則な形状に適応するように曲がり、ステムの側壁４０は、（各ステム４０の自由端４４と共に）表面５０と係合し、摩擦材料層１８と物品５２との間の係合する表面積を増大させる。このような表面積の増大は、湿潤状態又は乾燥状態のどちらでも達成され、各ステムは、（図３Ｂ、および図４の拡大写真でも表されるように）独立に動作し、対向する材料間に、できるだけ高い表面積接触を達成する。指につけている摩擦材料層１８の間の接触は、道具の柄又はボールの表面などの同様に不均一な表面と係合するとき、一般に非平面状であり（即ち、不規則な指の表面輪郭に従い）、そのため、剪断力下で、２つの対向する表面間のそれらの摩擦界面における相対的な表面積接触が最大になるという事を考慮すると、これは重要である。
【００２３】
この目的に好適な摩擦材料には、ミネソタ州セントポール、３Ｍ社（３Ｍ  Ｃｏｍｐａｎｙ，Ｓｔ．Ｐａｕｌ，Ｍｉｎｎｅｓｏｔａ）から入手可能であり、製品番号Ｇ４００として識別可能なグレップタイル（ｇＲｅｐｔｉｌｅ）（商標）ブランドの材料が挙げられる。この材料は、米国特許第６，３７２，３２３号明細書、および出願人の同時係属の米国特許出願番号０９／６３７，５６７号明細書に更に具体的に記載されており、これらは共に、本明細書に参考として組込まれ、指先用グリップパッド用途に関する下記の実施例に具体的に記載されている。
【００２４】
図１および図２に示される指先用グリップパッド１０の実施形態は、使用者の指に適応し、パッド１０を形成する材料がひだになったり、皺になったりすることを最小限にするような形状にされる。それらの材料およびパッド自体は、もちろん、使用者の指の曲げに適応するように、幾分、可撓性を有していなければならない。図１に見られるように、支持体シートは、（概ね、摩擦ゾーン３０に対応する）中央部位６０を有する。対向する複数のタブは、中央部位６０から外側に延びている。図１の実施形態は、３対の対向するタブ、即ち、タブ６２Ａと６２Ｂ、タブ６４Ａと６４Ｂ、および、タブ６６Ａと６６Ｂを有する。指先用グリップパッド１０が指の所定の位置に配置された時、指の動きを容易にするように、隣接するタブ間に、略溝状の開口部又は間隙が形成される。
【００２５】
各対の対向するタブは、使用者の指の周囲に少なくとも半分延びるほど、十分に長い。一実施形態では、対向するタブは、使用者の指の周囲に完全に延びるほど、十分に長く、タブの自由端で僅かに重なり合う。図１に見られるように、支持体シート１２の中央部位６０は、複数対の対向するタブに略垂直な方向に伸長している。中央部位６０は、摩擦ゾーン３０で画定されるように、その伸長している方向に沿って、幅が狭くなっている中間セグメント６８を有する。中間セグメント６８では、摩擦材料層１８は、タブが間隙によって分離されている領域付近で内向きに狭まるような形状にされ、指先用グリップパッド１０の指関節に沿った配置に適応し、および所定の位置に配置されると、指の動きに適応する。支持体シート１２および摩擦材料層１８は共に、図１に表される実施形態では、丸い端部を有し、これらの構成要素は、画定される摩擦ゾーン３０が使用者の指の主な接触パッドを被覆するような形状にされる。
【００２６】
図５Ａ〜図５Ｄは、使用者の指７０への指先用グリップパッド１０の貼付を表す。図５Ａでは、粘着剤ライナ２４は、まず、支持体シート１２の第２の側１６から除去され、廃棄され、そのため、粘着剤２２が露出する。次いで、指先用グリップパッド１０は、図５Ｂに見られるように、摩擦材料層１８が指７０上の、使用するのに望ましい位置に配置されるように、使用者の指７０に対して位置合せされる。前述のように、指先用グリップパッド１０は、複数対の対向するタブが、指関節上に延びないように位置合せされ、摩擦材料層１８は指の動きに適応し、指、即ち、指先の所望の部分を露出するように位置合せされる。使用者の指７０に指先用グリップパッド１０を貼付する前に、粘着力が増大するように、指を清浄にするか又は清拭して、指に付いている余分な油又は他の流体を除去してもよい。次いで、支持体シート１２の各タブを使用者の指７０の周囲に巻き付ける。図５Ｃはこのプロセスを表し、タブ６２Ａ、６２Ｂ、および６４Ｂは既に使用者の指に巻き付けられ、粘着されており、使用者がタブ６４Ａを指の周囲に巻き付けるプロセス中にある（および、タブ６６Ａおよび６６Ｂは、まだ、使用者の指７０に粘着されていない）ことを示している。図５Ｄは、図６のように、使用者の指７０に完全に固定されている指先用グリップパッド１０を示す。図７は、この実施形態の、タブ６６Ａおよび６６Ｂの自由端の重なりを表す。タブを使用者の指７０の周囲に巻き付ける時、使用者は、支持体シート１２の各タブの第１の側１４上を押圧し、それによって、感圧接着剤２２を指７０と粘着接触させる。指先用グリップパッド１０は、このように装着され、使用の準備が整う。役割が終わると、パッド１０は、粘着性バンデージが除去され得るのと同じ方法で、使用者の指７０から除去される（即ち、剥離され、処分される）。
【００２７】
図１、図２、および図５〜図７に見られるように、各指先用グリップパッド１０をそれ自体のライナ上に装着することができ、ライナは支持体シート１２と同じ全体形状を有する。或いは、複数の指先用グリップパッド１０を共通のライナ上に装着することができる。図８は、ロール状７４に巻かれてもよい共通のライナ７２から指先用グリップパッド１０を分配する一形態を表す。
【００２８】
使用する際、使用者は、指先用グリップパッド１０を使用者の手の一方又は両方の１本の指だけに、又は２本の指に、又は数本の指に付けてもよい。本発明の各指先用グリップパッドは、それぞれの指の表面に適合し、所望の形状の摩擦ゾーン３０を付与するが、これは、それ自体が、把持される物品の表面に適合するように設計され、湿潤状態又は乾燥状態のどちらでも高摩擦係数を提供する。把持される物品（道具の柄、手摺、又はラケットの柄など）が、同様に摩擦材料層を有する場合、対向する直立ステムの配列は、相互に係合し、摩擦界面のための更に大きく協働的な表面積を画定するため、２つの材料間に、更に大きい摩擦界面が可能である。
【００２９】
一実施形態では、摩擦ゾーン３０（摩擦材料層１８の第１の側３２）に所望される摩擦係数は、少なくとも１．１である。グリップパッド１０が使用中に移動しないことが、操作の際に重要であり、このような高摩擦係数を有すると、付与される摩擦ゾーン３０は、比較的「粘着性がある」か又は「タックを有する」。従って、グリップパッド１０は使用者の指にしっかり固定されることが重要である。摩擦材料層１８の第１の側３２の剪断力特性と、支持体シートの第２の側１６と使用者の指との間の粘着の剪断力特性との間の許容可能な関係を特定するため、荷重比の評価を行った。使用中に起こる高摩擦係数の力を考慮して、使用者の指にグリップパッド１０をしっかり固定するように、使用中の指先用グリップパッド１０の耐久性および連続的な係合を確実にするため、設計荷重、対、予想荷重の比が１．３：１以上であることが望ましい。評価される特定の材料について、摩擦材料１８の摩擦係数およびそれぞれの材料に対する荷重値を決定するのに使用する試験の概要を下記の実施例に記載する。
【００３０】
図９および図１０は、グリップパッド１１０と参照される、本発明の指先用グリップパッドの別の実施形態を表す。この実施形態では、支持体シート１１２は、中央セクション１６０、並びに、１対の対向するタブ１６２Ａおよび１６２Ｂを有する。摩擦ゾーン１３０は、ここでも、支持体シート１１２の中央１６０付近で、その第１の側１１４上に画定される。図１０に表されるように、この実施形態では、別々の摩擦材料層がない。替わりに、摩擦材料は、支持体シート１１２と一体成形される摩擦ゾーン１３０として画定される。換言すれば、摩擦ゾーン１３０が、前記開示のように、直立ステム１３８の配列によって画定されるとき、ステムは支持体シート１１２と一体になっており、そこから突出する。この目的に有用な材料は、図１〜７の実施形態に関して前記に開示されたものと同じである。
【００３１】
或いは、本実施形態のステムの配列１３８は、前記に開示される図１〜７の実施形態の文脈に記載されるように、ベースシート１１２とは別々に形成され、そこに固定され得る。
【００３２】
支持体シート１１２の第２の側１１６に、感圧接着剤１２２が提供される。前述のように、図１〜図２の実施形態に関して、タブ１６２Ａおよび１６２Ｂは、中央部位１６０から外側に突出し、使用者の指の周囲に少なくとも半分（一緒に）延びるほど十分に長い。一実施形態では、タブは、使用者の指の周囲に完全に延びるほど十分に長く、更にその自由端付近で僅かに重なり合う。
【００３３】
この実施形態では、粘着剤１２２に粘着剤ライナは提供されない。図１１に表されるように、指先用グリップパッド１１０をこのようにＺ折りの配置で分配することができる。そうするため、パッド１１０の積重ねの中の隣接するパッド１１０間に異なる粘着力が得られるように、粘着剤１２２は、積重ねの中の隣接するパッド１１０の端部で交互に更に強力にされるか、又は第１の側１１４および摩擦ゾーン１３０の一部に粘着剤剥離層被膜を設ける。米国特許第４，９０７，８２５号明細書および同４，４１６，３９２号明細書に示される物品シートについて表されるものと類似のＺ折り様式で、指先用グリップパッド１１０を分配できる。或いは、図１２に表されるように、指先用グリップパッド１１０をストリップ又はロールの形態で分配することができ、パッド１１０は、長手方向で端部と端部が接続されており、分離して使用される。一実施形態では、このような分離は、ストリップ１８２中の隣接するパッド１１０間の穿孔１８０により容易になる。更に別の実施形態では、指先用グリップパッドは、各パッドが材料のストリップ又はロールを横切って横方向に延びるストリップ又はロールの形態に形成されてもよい。次いで、使用するため、個々のパッドをストリップ又はロールの自由端から分離し、貼付する。
【００３４】
本発明に多数の変更を行うとともに、依然として所望の結果を達成することができる。例えば、摩擦ゾーンは、特定の用途および／又は本発明の装具が貼付される付属物に応じて、あらゆる所望の形状を有することができる。更に、一定の用途では、摩擦ゾーンの摩擦係数は、増大されてもよく、又は同じ装具上の一定の領域内で変わってもよい（例えば、摩擦係数は、摩擦ゾーンの遠位指先部分付近で、より高くなり、同じ装具上で摩擦ゾーンの近位の領域ほど低くなってもよい）。図示される実施形態は、使用者の付属物に支持体シートを粘着する感圧接着剤の使用を開示するが、その目的に他の手段を使用してもよい。例えば、２部式の機械的締結具をその目的に使用してもよい。機械的締結具の一部を支持体シートの第２の側に粘着させ、機械的締結具の他の（対になる）部分を使用者の付属物（例えば、使用者の皮膚に直接）、又は衣類物品（例えば、ベスト、手袋、ブーツなど）に他の方法で固定してもよい。更に別の実施形態では、支持体シート自体が、使用者の付属物（例えば、アームバンド又はリストバンド）の周囲に伸張可能に延びるような大きさに作られ、摩擦ゾーンが第１の外側に画定されている弾性バンドとして画定されてもよい。他の変更および本明細書に開示される様々な特徴の組合せが当業者には明らかであろう。
【００３５】
本発明の特徴を評価し、更に特定するため、実施例を行い、次のように試験した。
【００３６】
試験方法１−静摩擦係数。摩擦材料の初期摩擦係数を決定するため、この試験方法を使用した。手順は、ＡＳＴＭ試験手順Ｄ１８９４−０１に従い、移動スレッドおよび静止面を使用し、移動ゲージを用いてシステム構成「Ｃ」に記載のように行った。静止面は、陽極処理された平滑な表面組織を有する、機械加工された冷間圧延鋼プレートであった。ソリが試験片に加える見かけの接触圧力は、１ポンド（０．４５ｋｇ）であった。ゲージのｘヘッド速度は、５ｃｍ／ｓであった。試験片を室温２２℃、および相対湿度６５％で調整した。
【００３７】
試験方法２−粘着剤の剪断強度特性。ＡＳＴＭ試験手順Ｄ３１６５−００に従い粘着剤の剪断強度を決定するため、この試験方法を使用した。試験ジョイントを形成するのに使用される金属は冷間圧延鋼であり、イソプロピルアルコールで清浄にして準備した。感圧接着剤転写フィルムで粘着剤を貼付し、接触面積１．６１ｃｍ2、重なりの長さ１．２７ｃｍとなった。試験は、温度２２℃、相対湿度６５％で行った。試験片の荷重速度は、２５．４ｍｍ／分であった。破壊荷重は、剪断面積のｋＰａで表される。
【００３８】
実施例の背景
図１および図２に表されるものと類似の、指先用グリップパッドとして形成される本発明の実施例を試験した。これらの実施例で、把持動作には、グリップ面に荷重を加え、接触面上でそれを引くことが含まれる。本発明の下記の実施例では、グリップ面が外側に露出しているグリップは、皮膚などの基材に除去可能に付着される。本発明のグリップ面を接触面に当てて引くと、グリップと接触面との間に望ましい高剪断力が生じる。グリップと接触面との間に生じた剪断力は、付着界面に反力として翻訳される。付着面と基材との間の剪断力がこの反力より小さい場合、グリップは基材から剥れる。所定の活動、即ち、本発明のグリップ要素を使用する活動では、予想グリップ剪断力と付着の剪断力との間で注意深いバランスが達成されなければならない。グリップ要素が皮膚に付着されるとき、グリップ要素の有効な付着は、基材の動き、水分、繰返し剪断事象、および付着面の不規則な性質の影響を受けるが、このとき、この限定的なバランスに対する注意は特に重要であり、許容可能な究極レベルの粘着力によって限定される。
【００３９】
本発明の実施例の設計で均衡状態に保持される力は、使用する材料の特性、およびグリップの形状によって説明される。グリップ剪断力Ｓgを受けるグリップ表面積Ａgと、付着面Ａa、および付着剪断力Ｓaを有するグリップについて考えると、次の設計基準が満たさなければならない。
式１
ＳaＡa  ≧  ＳgＡg
【００４０】
グリップ面上の所定の荷重Ｌについて、達成され得る最大グリッパー剪断応力Ｓgを、次式によりグリップ材料の静摩擦係数μsと関連付けることができる。
式２
Ｓg  ＝  μsＬ
【００４１】
グリップの剪断特性と付着面は、グリップ要素の形状と関係があるため、式１と式２を組み合わせると、グリップの剪断特性と付着面との間の関係が得られ、次式によって表される。
式３
Ｌ≦  （Ａa／Ａg）（Ｓa／μs）
【００４２】
本発明の実施例では、式３により得られる設計荷重Ｌdは、好ましくは、予想最大荷重の４倍である。意図される使用環境におけるグリップの予想最大荷重は、グリップ要素が受けるであろう最大荷重を推測することによって予測される。一例として、人の指によって加えられ得る可能な荷重は、５０〜５００ｋＰａの範囲となり得る。この荷重は、使用者の指先を被覆することが意図されるグリップ要素に掛かるであろう予想荷重範囲を表す。付着の剪断力は、容易に貼付でき且つ除去できる粘着剤付着又は機械的付着から生じ得ることに留意すべきである。設計荷重、対、予想荷重の比は、常に、１：１より大きくなければならず、さもなければ、使用中に、グリップパッドが使用者の指に粘着しなくなる。本発明の実施例では、グリップの設計荷重は、予想最大荷重の４倍を上回る。
【００４３】
次の実施例は、グリップ要素が使用者の指の端部に粘着剤で付着されるように設計されている、本発明の指先用グリップに対する設計荷重率と予想荷重率との関係を表す。
【実施例】
【００４４】
実施例１
本発明のグリップ装具は、指先のグリップ性を向上させる要素としての用途に設計された。感圧接着剤で塗被されている可撓性バンデージ支持体に結合されたグリップ面を使用して、その要素を構成した。グリップ面（即ち、可撓性材料）は、ミネソタ州セントポール、３Ｍ社（３Ｍ  Ｃｏｍｐａｎｙ，Ｓｔ．Ｐａｕｌ，Ｍｉｎｎｅｓｏｔａ）から入手可能なグレップタイル（ｇＲｅｐｔｉｌｅ）（商標）グリップ材料Ｇ４００型のシートから切断された。この摩擦材料は、一面に、ピン４６５本／ｃｍ2の規則正しいパターンで配列された、小さく突出している可撓性のピンのグリップ面トポグラフィーを有し、試験方法１で決定される場合、静摩擦係数は１．１２であった。所望の摩擦ゾーンを形成するため、摩擦材料は平盤打抜機（ｒｕｌｅ  ｄｉｅ）で略楕円形に切断され、グリップ表面積が６．５ｃｍ2となった。ミネソタ州セントポール、３Ｍ社（３Ｍ  Ｃｏｍｐａｎｙ，Ｓｔ．Ｐａｕｌ，Ｍｉｎｎｅｓｏｔａ）から入手可能な高強度粘着剤、スコッチ（Ｓｃｏｔｃｈ）（登録商標）３００ＬＳＥ型を使用して、摩擦材料の平滑な面を支持体の上面に粘着固定した。切断した摩擦材料を、図１に示すように、支持体の上面に配置した。付着構成要素（即ち、支持体シート）として使用される材料は、ミネソタ州セントポール、３Ｍ社（３Ｍ  Ｃｏｍｐａｎｙ，Ｓｔ．Ｐａｕｌ，Ｍｉｎｎｅｓｏｔａ）から入手可能なバンデージテープ、コンフォートテープ（Ｃｏｍｆｏｒｔ  Ｔａｐｅ）４３９１０００８３８３型であった。バンデージテープは、一面を被覆する感圧接着剤を有し、図１に表される形状に切断され、粘着剤付着表面積２４．３ｃｍ2であった。粘着剤の剪断強度は、試験方法２によって１１６．４ｋＰａであることが決定された。
【００４５】
使用する際、実施例のグリップ要素は、予想接触力が５０〜３００ｋＰａとなり得る、バスケットボールなどのスポーツ活動における指用グリップ補助具として使用され得る。使用される材料の予想接触力および設計接触力、グリップ接触面積および付着接触面積、並びに、剪断力および摩擦係数特性の概要を表１に要約するが、ここで、
Ａg＝グリップ表面積（即ち、摩擦ゾーンの面積）
Ａa＝付着剪断面積（即ち、支持体シートの第２の側の粘着剤の面積）
μs＝（摩擦材料の）静摩擦係数
Ｓa＝（粘着剤の）付着剪断力
Ｌd＝設計荷重、および
Ｌa＝予想荷重、
である。
【００４６】
【表１】
2005532864.tif 000003
【００４７】
表１に示されるように、使用中に、指から実施例１のグリップ要素が剥がれないようにするため、１．３：１〜７．８：１の荷重比が必要である。機械的締結具型の付着を使用して付着する場合、グリップ面は４：１の範囲内であることが期待される。用途に関わらず、荷重比Ｌd：Ｌaは、常に、少なくとも１：１より大きい。
【００４８】
好ましい実施形態を参照して本発明を説明してきたが、当業者は、本発明の趣旨および範囲から逸脱しない形態および詳細において変更がなされ得ることを認識するであろう。
【図面の簡単な説明】
【００４９】
【図１】本発明の指先用グリップパッドの第１の実施形態の平面図である。
【図２】図１の線２−２に沿った断面図である。
【図３Ａ】本発明の摩擦係合面の一実施形態の拡大断面図である。
【図３Ｂ】物品の表面と剪断係合している、図３Ａの摩擦係合面の拡大断面図である。
【図４】物品（この図では、物品は刻み付金属表面を有する）の表面と摩擦および剪断係合している、本発明の摩擦係合面の一実施形態の拡大写真である。
【図５Ａ−５Ｄ】本発明の指先用グリップパッドを使用者の指に貼付する、本発明の方法の一形態を表す図である。
【図６】第１の実施形態の指先用グリップパッドが装着されている使用者の指の側面立面図である。
【図７】図６の線７−７に沿った断面図である（明瞭に示すため、粘着剤層は示されていない）。
【図８】保管および分配のためロール状に巻かれている共通のライナ上に配設された複数のこのようなパッドを示す、本発明の指先用グリップパッドの代替の実施形態の斜視図である。
【図９】本発明の指先用グリップパッドの別の代替の実施形態の平面図である。
【図１０】図９の線１０−１０に沿った断面図である。
【図１１】図９の指先用グリップパッドを分配するＺ折り配列の概略図である。
【図１２】図９の指先用グリップパッドを分配する分離可能なストリップ配列の平面図である。
【図１】
2005532864.tif 000004
【図２】
2005532864.tif 000005
2005532864.tif 000006
【図４】
2005532864.tif 000007
2005532864.tif 000008
2005532864.tif 000009
【図６】
2005532864.tif 000010
【図７】
2005532864.tif 000011
【図８】
2005532864.tif 000012
【図９】
2005532864.tif 000013
【図１０】
2005532864.tif 000014
【図１１】
2005532864.tif 000015
【図１２】
2005532864.tif 000016
【国際調査報告】
2005532864.tif 000017
2005532864.tif 000018
2005532864.tif 000019